(57)【要約】      （修正有）【課題】直列式ファンをスピーディに組み立てて定位し、軸方向及び径方向に安定結合する直列式ファン組立構造を提供する。【解決手段】直列式ファン組立構造は、第一ファンフレーム１、第二ファンフレーム２を含む。該第一ファンフレームは、第一掛合凸部、第二掛合凸部を設置し、第一嵌入槽、第二嵌入槽、第一掛合固定部及び第二掛合固定部を備える。該第二ファンフレーム２は第三掛合凸部、第四掛合凸部、第三嵌入槽、第四嵌入槽、第三掛合固定部及び第四掛合固定部を設置し、該第一、二嵌入槽１３１、１４１で、該第三、四掛合凸部２２１をそれぞれ結合し、第一、二掛合凸部１１１、１２１は該第三、四嵌入槽２３１、２４１とそれぞれ結合し、更に第一、二掛合固定部１５、１６は第三、四掛合固定部とそれぞれ対応して結合する。【選択図】図５
0003177251.tif 000002
【実用新案登録請求の範囲】
【請求項１】
直列式ファン組立構造において、
第一平面を備え、該第一平面は第一辺及び第二辺及び第三辺及び第四辺を備え、該第一辺と該第三辺は相互に対応し、該第二辺と該第四辺は相互に対応し、該第一辺は第一掛合槽を備えた第一掛合凸部を設置し、該第二辺は第二掛合槽を備えた第二掛合凸部を設置し、該第三辺は第一嵌入槽を設置し、該第四辺は第二嵌入槽を設置し、該第一平面は第一掛合固定部及び一第二掛合固定部を設置する第一ファンフレームと、
第二平面を備え、該第二平面は第五辺及び第六辺及び第七辺及び第八辺を備え、該第五辺と該第七辺は相互に対応し、該第六辺と該第八辺は相互に対応し、該第五辺は第三掛合凸部を設置して第三掛合槽を備え、該第六辺は第四掛合凸部を設置して第四掛合槽を備え、該第七辺は第三嵌入槽を設置し、該第八辺は第四嵌入槽を設置し、該第二平面は第三掛合固定部及び第四掛合固定部を設置し、そのうち、該第一、二嵌入槽は該第三、四掛合凸部とそれぞれ結合し、該第一、二掛合凸部は該第三、四嵌入槽とそれぞれ結合し、該第一、二掛合固定部は該第三、四掛合固定部とそれぞれ対応して結合する第二ファンフレームを含むことを特徴とする直列式ファン組立構造。
【請求項２】
前記第一、二掛合固定部は、該第三、四掛合固定部と相互に凹凸対応して設置することを特徴とする請求項１記載の直列式ファン組立構造。
【請求項３】
前記第一掛合固定部は、凸体で、それと相対して組み合わさる第三掛合固定部は凹孔であり、該第二掛合固定部は凸体であり、それと相対して組み合わさる第四掛合固定部は凹孔とすることを特徴とする請求項２記載の直列式ファン組立構造。
【請求項４】
前記第一掛合固定部は、凹孔であり、それと相対して組み合わさる第三掛合固定部は凸体を成形し、該第二掛合固定部は凹孔であり、それと相対して組み合わさる第四掛合固定部は凸体を成形することを特徴とする請求項２記載の直列式ファン組立構造。
【請求項５】
前記第一掛合凸部は、第一延長段及び第二延長段を備え、該第一延長段は該第一平面向から該第一平面と反対に延びて構成し、該第二延長段と該第一延長段は垂直を形成し、該第一延長段と反対の方向に延びて構成し、第一、二延長段は共同で前述第一掛合槽を形成することを特徴とする請求項１記載の直列式ファン組立構造。
【請求項６】
前記第一掛合槽は、更に第一結合面及び第二結合面を備え、該第一、二結合面は垂直並列を形成することを特徴とする請求項１記載の直列式ファン組立構造。
【請求項７】
前記第二掛合凸部は、第三延長段及び第四延長段を備え、該第三延長段は該第一平面向から該第一平面と反対に延びて構成し、該第四延長段と該第三延長段は垂直を形成し、該第三延長段と反対の方向に延びて構成し、該第三、四延長段は共同で前述第二掛合槽を形成することを特徴とする請求項１記載の直列式ファン組立構造。
【請求項８】
前記第二掛合槽は、更に第三結合面及び第四結合面を備え、該第三、四結合面は垂直並列を形成することを特徴とする請求項１記載の直列式ファン組立構造。
【請求項９】
前記第三掛合槽は、更に第五結合面及び第六結合面を備え、該第五、六結合面は垂直並列を形成することを特徴とする請求項１記載の直列式ファン組立構造。
【請求項１０】
前記第四掛合槽は、更に第七結合面及び第八結合面を備え、該第七、八結合面は垂直並列を形成することを特徴とする請求項１記載の直列式ファン組立構造。
【請求項１１】
前記第三嵌入槽は、更に第三凹口及び第三平台を備え、該第三凹口の一側は該第三結合面と対応して重合し、該第三平台は該第四結合面と対応して重合することを特徴とする請求項８記載の直列式ファン組立構造。
【請求項１２】
前記第四嵌入槽は、更に第四凹口及び第四平台を備え、該第四凹口一側は該第一結合面と対応して重合し、該第四平台は該第二結合面と対応して重合することを特徴とする請求項６記載の直列式ファン組立構造。
【請求項１３】
前記第一ファンフレームは、更に第一流道及び第一軸筒台及び複数の凸条を備え、該第一軸筒台は該第一平面から該第一平面と反対の方向に延びて形成し，該複数の凸条両端は、それぞれ該第一軸筒台及び該第一ファンフレームに連接し、該第二ファンフレームは更に第二流道及び一第二軸筒台及び複数の凸条を備え、該第二軸筒台は該第二平面から該第二平面と反対の方向延びて形成し、該複数の凸条両端はそれぞれ該第二軸筒台及び該第二ファンフレームに連接することを特徴とする請求項１記載の直列式ファン組立構造。
【請求項１４】
前記第二ファンフレームは、該第七辺で該第一ファンフレームの第四辺に接触させ、該第二辺へ水平にスライドして該第一ファンフレームと嵌合し、該第一平面及び該第二平面を相互に重合することを特徴とする請求項１記載の直列式ファン組立構造。
【請求項１５】
前記第一嵌入槽は、更に第一凹口及び第一平台を備え、該第一凹口一側は該第七結合面と対応して重合し、該第一平台は該第八結合面と対応して重合することを特徴とする請求項１０記載の直列式ファン組立構造。
【請求項１６】
前記第二嵌入槽は、更に第二凹口及び第二平台を備え、該第二凹口一側は該第五結合面と対応して重合し、該第二平台は該第六結合面と対応して重合することを特徴とする請求項９記載の直列式ファン組立構造。
【考案の詳細な説明】
【技術分野】
【０００１】
本考案は、直列式ファン組立構造に関するもので、特にスピーディに組立でき、軸方向及び径方向の結合密度を高める直列式ファン組立構造に係わる。
【背景技術】
【０００２】
科学技術の進歩に伴い、人々にとって、各種電子機器の依頼性は日々高まっている。しかしながら、電子製品(例としてパソコン、ノート型パソコン)を運用することで、内部の部品の熱量は上がり、その熱を即時に外部へ排出しないでいると、過熱してしまう問題がある。そのため、ほとんどの電子製品内にはファンが設置されており、電子製品を一定の温度範囲に維持するようになっている。但し、単一のファンが提供する風力では力が不足するため、二個もしくは二個以上のファンを直列で組み立てて併用することがある。
【０００３】
中央処理装置に用いる冷却装置に於いて、該冷却装置は放熱片及び少なくとも二個以上のファンを含む。（例として特許文献１を参照）。その特徴は、該少なくとも二個の第一ファンと第二ファンは直列式で付き合わせて構成し、二個のファンの間には、数個の連結柱が間隔をあけて距離を形成し、放熱片が吸收中央処理装置に於いて高温になった時、直列式ファンによって、増圧された吸風を形成し、冷却を高めて降温効果を高める。
【０００４】
該案は、更に二個のファンのファンフレーム四隅に穿孔を設置して第一ファンを第二ファンに直列設置するのに用い、ネジで二個のファンの穿孔に通して結合し、放熱片上に固定する。
【０００５】
但し、この種のネジだけで二個のファンを結合する場合、実施上の問題が発生する。それは、二個のファンがネジを固定する時に一組ファンの一側だけに力が集中し、二個のファンの接合面にはかからない。そのため、直接接合に不足が生じ、ファン回転時に騒音を発生し、同時に流体も接合面の隙間から漏れるため、放熱器の風量に影響し、放熱機能を下げる。
【０００６】
他に、公知の固定直列式放熱ファンの構造はコスト高く、組立強度が低く、且つ接合性に劣るため、組立後、ファンは径方向及び軸方向に振動しやすく、ファンが高速回転したり、サーバーと通信機器環境時のファンが緩みやすくなったりする。
【０００７】
更に、別の一公知の直列式放熱ファンの組立方式は、二個の直列に組み立てるファンのうちの一ファンの四隅に複数の穿孔を穿設し、別の一ファンの前述穿孔に相対する箇所に、少なくとも一凸体を設置し、該複数の凸体を前述穿孔に嵌入して二個のファンを直列に固定する。その一固定方式は、二個のファンを直列に固定するものの、結合後の定着度が悪いため、振動及び騒音を発生しやすく、適当ではない。
【先行技術文献】
【特許文献】
【０００８】
【特許文献１】台湾実用新案登録第４８１４３４「中央処理装置用の冷却装置」
【考案の概要】
【考案が解決しようとする課題】
【０００９】
解決しようとする問題点は、接合性が悪く、振動及び騒音を起こし、更に組立がしにくい点である。
【００１０】
拠って、上述公知の欠点を改善するため、一種の直列式ファン組立構造を提供する。
【課題を解決するための手段】
【００１１】
本考案は、第一ファンフレーム、第二ファンフレームを含む。該第一ファンフレームは、第一掛合凸部、第二掛合凸部を設置し、第一嵌入槽、第二嵌入槽、第一掛合固定部及び第二掛合固定部を備える。該第二ファンフレームは第三掛合凸部、第四掛合凸部、第三嵌入槽、第四嵌入槽、第三掛合固定部及び第四掛合固定部を設置し、該第一、二嵌入槽で、該第三、四掛合凸部をそれぞれ結合し、第一、二掛合凸部は該第三、四嵌入槽とそれぞれ結合し、更に第一、二掛合固定部は第三、四掛合固定部とそれぞれ対応して結合することを最も主要な特徴とする。
本考案は下記の特徴を有する。
（１）直列式ファン組立構造において、
第一平面を備え、該第一平面は第一辺及び第二辺及び第三辺及び第四辺を備え、該第一辺と該第三辺は相互に対応し、該第二辺と該第四辺は相互に対応し、該第一辺は第一掛合槽を備えた第一掛合凸部を設置し、該第二辺は第二掛合槽を備えた第二掛合凸部を設置し、該第三辺は第一嵌入槽を設置し、該第四辺は第二嵌入槽を設置し、該第一平面は第一掛合固定部及び一第二掛合固定部を設置する第一ファンフレームと、
第二平面を備え、該第二平面は第五辺及び第六辺及び第七辺及び第八辺を備え、該第五辺と該第七辺は相互に対応し、該第六辺と該第八辺は相互に対応し、該第五辺は第三掛合凸部を設置して第三掛合槽を備え、該第六辺は第四掛合凸部を設置して第四掛合槽を備え、該第七辺は第三嵌入槽を設置し、該第八辺は第四嵌入槽を設置し、該第二平面は第三掛合固定部及び第四掛合固定部を設置し、そのうち、該第一、二嵌入槽は該第三、四掛合凸部とそれぞれ結合し、該第一、二掛合凸部は該第三、四嵌入槽とそれぞれ結合し、該第一、二掛合固定部は該第三、四掛合固定部とそれぞれ対応して結合する第二ファンフレームを含むことを特徴とする直列式ファン組立構造。
（２）前記第一、二掛合固定部は、該第三、四掛合固定部と相互に凹凸対応して設置することを特徴とする（１）記載の直列式ファン組立構造。
（３）前記第一掛合固定部は、凸体で、それと相対して組み合わさる第三掛合固定部は凹孔であり、該第二掛合固定部は凸体であり、それと相対して組み合わさる第四掛合固定部は凹孔とすることを特徴とする（２）記載の直列式ファン組立構造。
（４）前記第一掛合固定部は、凹孔であり、それと相対して組み合わさる第三掛合固定部は凸体を成形し、該第二掛合固定部は凹孔であり、それと相対して組み合わさる第四掛合固定部は凸体を成形することを特徴とする（２）記載の直列式ファン組立構造。
（５）前記第一掛合凸部は、第一延長段及び第二延長段を備え、該第一延長段は該第一平面向から該第一平面と反対に延びて構成し、該第二延長段と該第一延長段は垂直を形成し、該第一延長段と反対の方向に延びて構成し、第一、二延長段は共同で前述第一掛合槽を形成することを特徴とする（１）記載の直列式ファン組立構造。
（６）前記第一掛合槽は、更に第一結合面及び第二結合面を備え、該第一、二結合面は垂直並列を形成することを特徴とする（１）記載の直列式ファン組立構造。
（７）前記第二掛合凸部は、第三延長段及び第四延長段を備え、該第三延長段は該第一平面向から該第一平面と反対に延びて構成し、該第四延長段と該第三延長段は垂直を形成し、該第三延長段と反対の方向に延びて構成し、該第三、四延長段は共同で前述第二掛合槽を形成することを特徴とする（１）記載の直列式ファン組立構造。
（８）前記第二掛合槽は、更に第三結合面及び第四結合面を備え、該第三、四結合面は垂直並列を形成することを特徴とする（１）記載の直列式ファン組立構造。
（９）前記第三掛合槽は、更に第五結合面及び第六結合面を備え、該第五、六結合面は垂直並列を形成することを特徴とする（１）記載の直列式ファン組立構造。
（１０）前記第四掛合槽は、更に第七結合面及び第八結合面を備え、該第七、八結合面は垂直並列を形成することを特徴とする（１）記載の直列式ファン組立構造。
（１１）前記第三嵌入槽は、更に第三凹口及び第三平台を備え、該第三凹口の一側は該第三結合面と対応して重合し、該第三平台は該第四結合面と対応して重合することを特徴とする（８）記載の直列式ファン組立構造。
（１２）前記第四嵌入槽は、更に第四凹口及び第四平台を備え、該第四凹口一側は該第一結合面と対応して重合し、該第四平台は該第二結合面と対応して重合することを特徴とする（６）記載の直列式ファン組立構造。
（１３）前記第一ファンフレームは、更に第一流道及び第一軸筒台及び複数の凸条を備え、該第一軸筒台は該第一平面から該第一平面と反対の方向に延びて形成し，該複数の凸条両端は、それぞれ該第一軸筒台及び該第一ファンフレームに連接し、該第二ファンフレームは更に第二流道及び一第二軸筒台及び複数の凸条を備え、該第二軸筒台は該第二平面から該第二平面と反対の方向延びて形成し、該複数の凸条両端はそれぞれ該第二軸筒台及び該第二ファンフレームに連接することを特徴とする（１）記載の直列式ファン組立構造。
（１４）前記第二ファンフレームは、該第七辺で該第一ファンフレームの第四辺に接触させ、該第二辺へ水平にスライドして該第一ファンフレームと嵌合し、該第一平面及び該第二平面を相互に重合することを特徴とする（１）記載の直列式ファン組立構造。
（１５）前記第一嵌入槽は、更に第一凹口及び第一平台を備え、該第一凹口一側は該第七結合面と対応して重合し、該第一平台は該第八結合面と対応して重合することを特徴とする（１０）記載の直列式ファン組立構造。
（１６）前記第二嵌入槽は、更に第二凹口及び第二平台を備え、該第二凹口一側は該第五結合面と対応して重合し、該第二平台は該第六結合面と対応して重合することを特徴とする（９）記載の直列式ファン組立構造。
【考案の効果】
【００１２】
本考案の直列式ファン組立構造は、第一、二ファンフレームをスピーディに結合定位し、第一、二ファンフレームを軸方向及び径方向に安定結合するという利点がある。
【図面の簡単な説明】
【００１３】
【図１】本考案の直列式ファン組立構造の第一実施例の第一ファンフレーム立体指示図である。
【図２】本考案の直列式ファン組立構造の第一実施例の第一ファンフレーム立体指示図である。
【図３】本考案の直列式ファン組立構造の第一実施例の第二ファンフレーム立体指示図である。
【図４】本考案の直列式ファン組立構造の第一実施例の第二ファンフレーム立体指示図である。
【図５】本考案の直列式ファン組立構造の第一実施例の立体分解図である。
【図６】本考案の直列式ファン組立構造の第一実施例の立体組立図である。
【図７】本考案の直列式ファン組立構造の第二実施例の第一ファンフレーム立体指示図である。
【図８】本考案の直列式ファン組立構造の第二実施例の第二ファンフレーム立体指示図である。
【図９】本考案の直列式ファン組立構造の第三実施例の第一ファンフレーム立体指示図である。
【図１０】本考案の直列式ファン組立構造の第三実施例の第二ファンフレーム立体指示図である。
【考案を実施するための形態】
【００１４】
スピーディに定位結合する直列式ファン組立構造を提供することを本考案の主な目的とする。
【００１５】
直列式ファンを軸方向及び径方向にしっかりと結合する直列式ファン組立構造を提供することを本考案の別の目的とする。
【００１６】
上述の目的を達成するため、本考案は、一種の直列式ファン組立構造を提供し、それは第一ファンフレーム及び第二ファンフレームを含む。
【００１７】
該第一ファンフレームは、第一平面を備え、該第一平面は第一辺及び第二辺及び第三辺及び第四辺を備える。該第一辺と該第三辺は相互に対応し、該第二辺と該第四辺は相互に対応する。該第一辺は第一掛合槽を備えた第一掛合凸部を設置し、該第二辺は第二掛合槽を備えた第二掛合凸部を設置し、該第三辺は第一嵌入槽を設置し、該第四辺は第二嵌入槽を設置し、該第一平面は第一掛合固定部及び第二掛合固定部を設置する。
【００１８】
該第二ファンフレームは第二平面を備え、該第二平面は第五辺及び第六辺及び第七辺及び第八辺を備える。該第五辺と該第七辺は相互に対応し、該第六辺と該第八辺は相互に対応する。該第五辺は第三掛合凸部を設置して第三掛合槽を備え、該第六辺は第四掛合凸部を設置して第四掛合槽を備える。該第七辺は第三嵌入槽を設置し、該第八辺は第四嵌入槽を設置する。該第二平面は第三掛合固定部及び第四掛合固定部を設置し、そのうち該第一、二嵌入槽は該第三、四掛合凸部とそれぞれ結合し、該第一、二掛合凸部は該第三、四嵌入槽とそれぞれ結合し、該第一、二掛合固定部は該第三、四掛合固定部とそれぞれ対応して結合する。
【００１９】
本考案の直列式ファン組立構造によって、二個のファンをスピーディに組み立てて定位する以外に、更に二個のファンを組み立てた後に軸方向及び径方向に対して安定結合を確保し、緩んで振動が発生するのを防止する。
【実施例１】
【００２０】
本考案の上述目的及びその構造と機能上の特性を図式で示しながら、良好な実施例を挙げて説明する。
【００２１】
図１、２、３、４、５、６は、本考案の直列式ファン組立構造の第一実施例の第一、二ファンフレームの立体指示図及び直列式ファン組立構造立体分解及び組立図である。図に示すとおり、該直列式ファン組立構造は、第一ファンフレーム１、第二ファンフレーム２を含む。
【００２２】
該第一ファンフレーム１は、第一平面１aを備え、また該第一平面１aは第一辺１１及び第二辺１２及び第三辺１３及び第四辺１４を備える。該第一辺１１は該第三辺１３と相互に対応して設置し、該第二辺１２は該第四辺１４と相互に対応して設置する。
【００２３】
該第一辺１１は、第一掛合槽１１２を備えた第一掛合凸部１１１を設置し、該第二辺１２は第二掛合槽１２２を備えた第二掛合凸部１２１を設置し、該第三辺１３は第一嵌入槽１３１を形成し、該第四辺１４は第二嵌入槽１４１を形成する。
【００２４】
該第一掛合凸部１１１は、第一延長段１１１１及び第二延長段１１１２を備え、該第一延長段１１１１は該第一平面１aから該第一平面１aと反対向きに伸びて構成し、該第二延長段１１１２と該第一延長段１１１１は垂直を形成し、該第一延長段１１１１と反対向きに伸びて構成し、該第一、二延長段１１１１、１１１２が共同で前述第一掛合槽１１２を形成する。
【００２５】
該第一掛合槽１１２は、更に第一結合面１１２１及び第二結合面１１２２を備え、該第一、二結合面１１２１、１１２２は垂直並列を形成する。
【００２６】
該第二掛合凸部１２１は、第三延長段１２１１及び第四延長段１２１２を備え、該第三延長段１２１１は該第一平面１aから該第一平面１aと反対方向向きに伸びて構成し、該第四延長段１２１２と該第三延長段１２１１は垂直を形成して該第三延長段１２１１の方向と反対方向向きに伸びて構成し、該第三、四延長段１２１１、１２１２が共同で前述第二掛合槽１２２を形成する。
【００２７】
該第二掛合槽１２２は、更に第三結合面１２２１及び第四結合面１２２２を備え、該第三、四結合面１２２１、１２２２は垂直で並列する。
【００２８】
該第一嵌入槽１３１は、更に第一凹口１３１１及び第一平台１３１２を備える。
【００２９】
該第二嵌入槽１４１は、更に第二凹口１４１１及び第二平台１４１２を備える。
【００３０】
該第一平面１aは、第一掛合固定部１５及び第二掛合固定部１６を設置する。
【００３１】
該第一ファンフレーム１は、更に第一流道１７及び第一軸筒台１８及び複数の凸条１９を備え、該第一軸筒台１８は、該第一平面１aから該第一平面１aと方向に向けて伸びて形成し、該複数の凸条１９両端はそれぞれ該第一軸筒台１８及び該第一ファンフレーム１に連接する。
【００３２】
該第二ファンフレーム２は、第二平面２aを備え、該第二平面２aは第五辺２１及び第六辺２２及び第七辺２３及び第八辺２４を備える。該第五辺２１と該第七辺２３は相互に対応して設置し，該第六辺２２と該第八辺２４相互に対応して設置する。
【００３３】
該第五辺２１は第三掛合凸部２１１を設置して第三掛合槽２１２を備える。該第六辺２２は第四掛合凸部２２１を設置して第四掛合槽２２２を備える。該第七辺２３は第三嵌入槽２３１を設置し、該第八辺２４は第四嵌入槽２４１を設置する。
【００３４】
該第三掛合凸部２１１は第五延長段２１１１及び第六延長段２１１２を備え、該第五延長段２１１１は該第二平面２aから該第二平面２aと反対方向に伸びて構成する。該第六延長段２１１２と該第五延長段２１１１は垂直を形成し該第五延長段２１１１と反対の方向に延びて構成し、該第五、六延長段２１１１、２１１２は共同で前述第三掛合槽２１２を形成する。また該第三掛合槽２１２は更に第五結合面２１２１及び第六結合面２１２２を備え、該第五、六結合面２１２１、２１２２は垂直並列を形成し、それぞれ前述第二嵌入槽１４１の第二凹口１４１１及び第二平台１４１２と重合する。
【００３５】
該第三嵌入槽２３１は更に第三凹口２３１１及び第三平台２３１２を備え、該第三凹口２３１１一側は該第三延長段１２１１の第三結合面１２２１と対応して重合し、該第三平台２３１２は該第四延長段１２１２の第四結合面１２２２と対応して重合する。
【００３６】
該第四掛合凸部２２１は、第七延長段２２１１及び第八延長段２２１２を備える。該第七延長段２２１１は該第二平面２aから該第二平面２aと反対向きに延びて構成する。該第八延長段２２１２と該第七延長段２２１１は垂直を成形し、該第七延長段２２１１の方向と反対に延びて構成する。該第七、八延長段２２１１、２２１２は共同で前述第四掛合槽２２２を形成し、該第四掛合槽２２２は更に第七結合面２２２１及び第八結合面２２２２を備え、該第七、八結合面２２２１、２２２２垂直並列を形成する。
【００３７】
該第七、八結合面２２２１、２２２２は、それぞれ前述第一嵌入槽１３１の第一凹口１３１１及び第一平台１３１２と重合する。
【００３８】
該第四嵌入槽２４１は、更に第四凹口２４１１及び第四平台２４１２を備え、該第四凹口２４１１一側は該第一延長段１１１１の第一結合面１１２１と対応して重合し、該第四平台２４１２は該第二延長段１１１２の第二結合面１１２２と対応して重合する。
【００３９】
該第二平面２aは、第三掛合固定部２５及び第四掛合固定部２６を設置する。
【００４０】
該第二ファンフレーム２は、更に第二流道２７及び第二軸筒台２８及び複数の凸条２９を備え、該複数の凸条２９両端はそれぞれ該第二軸筒台２８及び該第二ファンフレーム２を連接する。
【００４１】
図５、６に示すとおり、該第一ファンフレーム１及び該第二ファンフレーム２を組み立てる時、該第二ファンフレーム２は、該第七辺２３が該第一ファンフレームの第四辺１４に接触することによって、水平に該第二辺１２へスライドして該第一ファンフレーム１と掛合固定して組み合わさり、また該第一平面１a及び該第二平面２aを相互に重合する。即ち、該第一、二嵌入槽１３１、１４１をそれぞれと該第三、四掛合凸部２１１、２２１と結合する。該第一、二掛合凸部１１１、１２２は、それぞれ該第三、四嵌入槽２３１、２４１と結合し、該第一、二掛合固定部１５、１６は、それぞれ該第三、四掛合固定部２５、２６と対応して結合する。即ち該第一、二掛合固定部１５、１６と該第三、四掛合固定部２５、２６は相互に凹凸対応設置する。
【実施例２】
【００４２】
図７、８に示すのは、本考案の直列式ファン組立構造の第二実施例の第一、二ファンフレーム立体指示図である。図に示すとおり、本実施例は前述の第一実施例と一部構造が同じであるため、その点については重複説明しない。本実施例と前述第一実施例の異なる点は、該第一掛合固定部１５が凸体であり、それと相対して組み合わさる第三掛合固定部２５が凹孔で、該第二掛合固定部１６は凸体であり、それと相対して組み合わさる第四掛合固定部２６が凹孔という点である。
【実施例３】
【００４３】
図９、１０に示すのは、本考案の直列式ファン組立構造の第三実施例の第一、二ファンフレーム立体指示図である。図に示すとおり、本実施例は、前述第二実施例の一部構造と同じであるため、その点については重複説明しない。本実施例と前述第二実施例の異なる点は、該第一掛合固定部１５が凹孔で、それと相対して組み合わさる第三掛合固定部２５が凸体であり、該第二掛合固定部１６は凹孔で、それと相対して組み合わさる第四掛合固定部２６が凸体という点である。
【００４４】
本考案の実施方式は上述のとおりであるが、それは本考案を限定するものではなく、当領域に習熟した者が本考案の精神及び範囲内から乖離することのない変更と修飾を行うかもしれない。拠って、本考案の保護範囲は、後述の請求範囲を基準とする。
【符号の説明】
【００４５】
１        第一ファンフレーム
１ａ      第一平面
１１        第一辺
１１１        第一掛合凸部
１１１１        第一延長段
１１１２        第二延長段
１１２        第一掛合槽
１１２１        第一結合面
１１２２        第二結合面
１２        第二辺
１２１        第二掛合凸部
１２１１        第三延長段
１２１２        第四延長段
１２２        第二掛合槽
１２２１        第三結合面
１２２２        第四結合面
１３        第三辺
１３１        第一嵌入槽
１３１１        第一凹口
１３１２        第一平台
１４        第四辺
１４１        第二嵌入槽
１４１１        第二凹口
１４１２        第二平台
１５        第一掛合固定部
１６        第二掛合固定部
１７        第一流道
１８        第一軸筒台
１９        凸条
２ａ      第二平面
２１        第五辺
２１１        第三掛合凸部
２１１１        第五延長段
２１１２        第六延長段
２１２        第三掛合槽
２１２１        第五結合面
２１２２        第六結合面
２２        第六辺
２２１        第四掛合凸部
２２１１        第七延長段
２２１２        第八延長段
２２２        第四掛合槽
２２２１        第七結合面
２２２２        第八結合面
２３        第七辺
２３１        第三嵌入槽
２３１１        第三凹口
２３１２        第三平台
２４        第八辺
２４１        第四嵌入槽
２４１１        第四凹口
２４１２        第四平台
２５        第三掛合固定部
２６        第四掛合固定部
２７        第二流道
２８        第二軸筒台
２９        凸条
【図１】
0003177251.tif 000003
【図２】
0003177251.tif 000004
【図３】
0003177251.tif 000005
【図４】
0003177251.tif 000006
【図５】
0003177251.tif 000007
【図６】
0003177251.tif 000008
【図７】
0003177251.tif 000009
【図８】
0003177251.tif 000010
【図９】
0003177251.tif 000011
【図１０】
0003177251.tif 000012